(57)【要約】【課題】測定する圧力が小さい段階では速やかに撓み変形する一方で、高圧力の状態では徐々に撓むようにダイヤフラムを構成することによって圧力感度特性の直線性を向上させた圧力センサーを提供する。【解決手段】基台３の面上に順次積層された下部電極膜４及び誘電体膜５と、誘電体膜と対向する位置に薄肉部１１を備えるとともに基台の面上に固定された検出片１０と、薄肉部の少なくとも一部に形成され且つ下部電極膜と対向する位置関係にある上部電極膜１３と、を備え、検出片の下面と該誘電体膜との間に微小ギャップの気密空間Ｓを備えた圧力センサーにおいて、検出片の薄肉部の厚さは全面に亘って均一でない。【選択図】図１
2012063363.tif 000002
【特許請求の範囲】
【請求項１】
基台と、該基台の上面と対向する位置に薄肉部を備えるとともに基台の面上に固定された検出片とを備え、前記検出片の薄肉部の厚さは全面に亘って均一でないことを特徴とする圧力センサー。
【請求項２】
基台と、該基台の上面と対向する位置に薄肉部を備えるとともに基台の面上に固定された検出片とを備え、前記検出片は、その一端から所定幅の範囲が均一な厚さである均一厚領域と、該均一厚領域から前記薄肉部の他端までの範囲が前記均一厚領域よりも厚肉である増厚領域と、を備えた全面に亘って均一でない前記薄肉部を有することを特徴とする圧力センサー。
【請求項３】
基台と、該基台の上面と対向する位置に薄肉部を備えるとともに基台の面上に固定された検出片とを備え、前記検出片は、その一端から所定幅の範囲が均一な厚さである均一厚領域と、該均一厚領域から前記薄肉部の他端までの範囲が前記均一厚領域よりも厚肉である増厚領域と、を備えた全面に亘って均一でない前記薄肉部を有し、前記増厚領域は、薄肉部の肉厚が前記均一厚領域から前記薄肉部の他端に向かい漸増する構成を有することを特徴とする圧力センサー。
【請求項４】
基台と、該基台の上面と対向する位置に薄肉部を備えるとともに基台の面上に固定された検出片とを備え、前記検出片は、その一端から所定幅の範囲が均一な厚さである均一厚領域と、該均一厚領域から前記薄肉部の他端までの範囲が前記均一厚領域よりも厚肉である増厚領域と、を備えた全面に亘って均一でない前記薄肉部を有し、前記増厚領域は、薄肉部の肉厚が少なくとも一つの段差部を有した階段状の構成を有することを特徴とする圧力センサー。
【請求項５】
前記検出片は、前記薄肉部の外周縁に厚肉環状部を一体化した構成を有することを特徴とする請求項１、２、３又は４に記載の圧力センサー。
【請求項６】
前記検出片の薄肉部は、一方の面が平坦面であり、他方の面が傾斜面、或いは階段状であることを特徴とする請求項１、２、３又は４に記載の圧力センサー。
【請求項７】
前記検出片は、前記薄肉部の外周縁に厚肉環状部を一体化した構成を有し、前記検出片の薄肉部は、一方の面が平坦面であり、他方の面が傾斜面、或いは階段状の構成を有することを特徴とする請求項１、２、３又は４に記載の圧力センサー。
【請求項８】
前記基台は、凹陥部と、該凹陥部の外周を包囲する外枠と、を有し、前記外枠の上面に前記検出片を支持することにより前記薄肉部と前記凹陥部との間に得られた微小ギャップと、を有することを特徴とする請求項１、２、３又は４に記載の圧力センサー。
【請求項９】
前記圧力センサーはタッチモード容量圧力センサーであることを特徴とする請求項１、２、３又は４に記載の圧力センサー。
【請求項１０】
前記段差部は、薄肉部の基材上に金属層を付加することによって形成したものであることを特徴とする請求項４に記載の圧力センサー。
【請求項１１】
圧電結晶材料から成る基台と、該基台の上面と対向する位置に薄肉部を備えるとともに基台の面上に固定された検出片とを備え、前記検出片の薄肉部の厚さは全面に亘って均一でないことを特徴とする圧力センサー。
【請求項１２】
圧電結晶材料から成る基台と、該基台の上面と対向する位置に薄肉部を備えるとともに基台の面上に固定された検出片とを備え、前記検出片は、その一端から所定幅の範囲が均一な厚さである均一厚領域と、該均一厚領域から前記薄肉部の他端までの範囲が前記均一厚領域よりも厚肉である増厚領域と、を備えた全面に亘って均一でない前記薄肉部を有することを特徴とする圧力センサー。
【請求項１３】
圧電結晶材料から成る基台と、該基台の上面と対向する位置に薄肉部を備えるとともに基台の面上に固定された検出片とを備え、前記検出片は、その一端から所定幅の範囲が均一な厚さである均一厚領域と、該均一厚領域から前記薄肉部の他端までの範囲が前記均一厚領域よりも厚肉である増厚領域と、を備えた全面に亘って均一でない前記薄肉部を有し、前記増厚領域は、薄肉部の肉厚が前記均一厚領域から前記薄肉部の他端に向かい漸増する構成を有することを特徴とする圧力センサー。
【請求項１４】
圧電結晶材料から成る基台と、該基台の上面と対向する位置に薄肉部を備えるとともに基台の面上に固定された検出片とを備え、前記検出片は、その一端から所定幅の範囲が均一な厚さである均一厚領域と、該均一厚領域から前記薄肉部の他端までの範囲が前記均一厚領域よりも厚肉である増厚領域と、を備えた全面に亘って均一でない前記薄肉部を有し、前記増厚領域は、薄肉部の肉厚が少なくとも一つの段差部を有した階段状の構成を有することを特徴とする圧力センサー。
【請求項１５】
圧電結晶材料から成る基台と、該基台の上面と対向する位置に薄肉部を備えるとともに基台の面上に固定された圧電結晶材料から成る検出片とを備え、前記検出片の薄肉部の厚さは全面に亘って均一でないことを特徴とする圧力センサー。
【請求項１６】
圧電結晶材料から成る基台と、該基台の上面と対向する位置に薄肉部を備えるとともに基台の面上に固定された圧電結晶材料から成る検出片とを備え、前記検出片は、その一端から所定幅の範囲が均一な厚さである均一厚領域と、該均一厚領域から前記薄肉部の他端までの範囲が前記均一厚領域よりも厚肉である増厚領域と、を備えた全面に亘って均一でない前記薄肉部を有することを特徴とする圧力センサー。
【請求項１７】
圧電結晶材料から成る基台と、該基台の上面と対向する位置に薄肉部を備えるとともに基台の面上に固定された圧電結晶材料から成る検出片とを備え、前記検出片は、その一端から所定幅の範囲が均一な厚さである均一厚領域と、該均一厚領域から前記薄肉部の他端までの範囲が前記均一厚領域よりも厚肉である増厚領域と、を備えた全面に亘って均一でない前記薄肉部を有し、前記増厚領域は、薄肉部の肉厚が前記均一厚領域から前記薄肉部の他端に向かい漸増する構成を有することを特徴とする圧力センサー。
【請求項１８】
圧電結晶材料から成る基台と、該基台の上面と対向する位置に薄肉部を備えるとともに基台の面上に固定された圧電結晶材料から成る検出片とを備え、前記検出片は、その一端から所定幅の範囲が均一な厚さである均一厚領域と、該均一厚領域から前記薄肉部の他端までの範囲が前記均一厚領域よりも厚肉である増厚領域と、を備えた全面に亘って均一でない前記薄肉部を有し、前記増厚領域は、薄肉部の肉厚が少なくとも一つの段差部を有した階段状の構成を有することを特徴とする圧力センサー。
【請求項１９】
前記検出片は、前記薄肉部の外周縁に厚肉環状部を一体化した構成を有することを特徴とする請求項１１、１２、１３、１４、１５、１６、１７又は１８に記載の圧力センサー。
【請求項２０】
前記検出片の薄肉部は、一方の面が平坦面であり、他方の面が傾斜面、或いは階段状であることを特徴とする請求項１１、１２、１３、１４、１５、１６、１７又は１８に記載の圧力センサー。
【請求項２１】
前記検出片は、前記薄肉部の外周縁に厚肉環状部を一体化した構成を有し、前記検出片の薄肉部は、一方の面が平坦面であり、他方の面が傾斜面、或いは階段状の構成を有することを特徴とする請求項１１、１２、１３、１４、１５、１６、１７又は１８に記載の圧力センサー。
【請求項２２】
前記基台は、凹陥部と、該凹陥部の外周を包囲する外枠と、を有し、前記外枠の上面に前記検出片を支持することにより前記薄肉部と前記凹陥部との間に得られた微小ギャップと、を有する請求項１１、１２、１３、１４、１５、１６、１７又は１８に記載の圧力センサー。
【請求項２３】
圧電結晶材料から成る前記基台と、該基台と同一種の圧電結晶材料から成る前記検出片と、を備え、前記検出片の結晶軸の方向と前記基台の結晶軸の方向とを一致させた状態で、前記検出片に対して前記基台を重ね合わせたことを特徴とする請求項１５、１６、１７又は１８に記載の圧力センサー。
【請求項２４】
前記圧電結晶材料が水晶であることを特徴とする請求項１１、１２、１３、１４、１５、１６、１７又は１８に記載の圧力センサー。
【請求項２５】
前記検出片が水晶板から成り、該水晶板の主面に対する法線が水晶結晶軸Ｚに対して０°以外の角度を成しており、前記検出片が前記水晶板をウェットエッチングによって薄く加工した前記薄肉部を有することを特徴とする請求項１１、１２、１３、１４、１５、１６、１７又は１８に記載の圧力センサー。
【請求項２６】
前記検出片を構成する圧電結晶材料は、厚味すべりモードを有することを特徴とする請求項１１、１２、１３、１４、１５、１６、１７又は１８に記載の圧力センサー。
【請求項２７】
前記検出片を構成する圧電結晶材料は、ＡＴカット水晶板であることを特徴とする請求項１１、１２、１３、１４、１５、１６、１７又は１８に記載の圧力センサー。
【請求項２８】
前記圧力センサーは、タッチモード容量圧力センサーであることを特徴とする請求項１１、１２、１３、１４、１５、１６、１７又は１８に記載の圧力センサー。
【請求項２９】
前記段差部は、薄肉部の基材上に金属層を付加することによって形成したものであることを特徴とする請求項１８に記載の圧力センサー。
【請求項３０】
基台と、該基台の面上に順次積層された下部電極膜及び誘電体膜と、該誘電体膜と対向する位置に薄肉部を備えるとともに基台の面上に固定された検出片と、前記下部電極膜と対向する位置関係となる前記薄肉部の少なくとも一部に形成した上部電極膜と、前記検出片の下面と前記誘電体膜との間に微小ギャップの空間と、を備え、前記検出片の薄肉部の厚さは全面に亘って均一でないことを特徴とする圧力センサー。
【請求項３１】
基台と、該基台の面上に順次積層された下部電極膜及び誘電体膜と、該誘電体膜と対向する位置に薄肉部を備えるとともに基台の面上に固定された検出片と、前記下部電極膜と対向する位置関係となる前記薄肉部の少なくとも一部に形成した上部電極膜と、前記検出片の下面と前記誘電体膜との間に微小ギャップの空間と、を備え、前記検出片は、その一端から所定幅の範囲が均一な厚さである均一厚領域と、該均一厚領域から前記薄肉部の他端までの範囲が前記均一厚領域よりも厚肉である増厚領域と、を備えた全面に亘って均一でない前記薄肉部を有することを特徴とする圧力センサー。
【請求項３２】
基台と、該基台の面上に順次積層された下部電極膜及び誘電体膜と、該誘電体膜と対向する位置に薄肉部を備えるとともに基台の面上に固定された検出片と、前記下部電極膜と対向する位置関係となる前記薄肉部の少なくとも一部に形成した上部電極膜と、前記検出片の下面と前記誘電体膜との間に微小ギャップの空間と、を備え、前記検出片は、その一端から所定幅の範囲が均一な厚さである均一厚領域と、該均一厚領域から前記薄肉部の他端までの範囲が前記均一厚領域よりも厚肉である増厚領域と、を備えた全面に亘って均一でない前記薄肉部を有し、前記増厚領域は、薄肉部の肉厚が前記均一厚領域から前記薄肉部の他端に向かい漸増する構成を有することを特徴とする圧力センサー。
【請求項３３】
基台と、該基台の面上に順次積層された下部電極膜及び誘電体膜と、該誘電体膜と対向する位置に薄肉部を備えるとともに基台の面上に固定された検出片と、前記下部電極膜と対向する位置関係となる前記薄肉部の少なくとも一部に形成した上部電極膜と、前記検出片の下面と前記誘電体膜との間に微小ギャップの空間と、を備え、前記検出片は、その一端から所定幅の範囲が均一な厚さである均一厚領域と、該均一厚領域から前記薄肉部の他端までの範囲が前記均一厚領域よりも厚肉である増厚領域と、を備えた全面に亘って均一でない前記薄肉部を有し、前記増厚領域は、薄肉部の肉厚が少なくとも一つの段差部を有した階段状の構成を有することを特徴とする圧力センサー。
【請求項３４】
前記検出片は、前記薄肉部の外周縁に厚肉環状部を一体化した構成を有することを特徴とする請求項３０、３１、３２又は３３に記載の圧力センサー。
【請求項３５】
前記検出片は、一方の面が平坦面であり、他方の面が傾斜面、或いは階段状であることを特徴とする請求項３０、３１、３２又は３３に記載の圧力センサー。
【請求項３６】
前記検出片は、前記薄肉部の外周縁に厚肉環状部を一体化した構成を有し、前記検出片の薄肉部は、一方の面が平坦面であり、他方の面が傾斜面、或いは階段状の構成を有することを特徴とする請求項３０、３１、３２又は３３に記載の圧力センサー。
【請求項３７】
前記基台は、凹陥部と、該凹陥部の外周を包囲する外枠と、を有し、前記外枠の上面に前記検出片を支持することにより前記薄肉部と前記凹陥部との間に得られた微小ギャップと、を有することを特徴とする請求項３０、３１、３２又は３３に記載の圧力センサー。
【請求項３８】
前記圧力センサーはタッチモード容量圧力センサーであることを特徴とする請求項３０、３１、３２又は３３に記載の圧力センサー。
【請求項３９】
前記段差部は、薄肉部の基材上に金属層を付加することによって形成したものであることを特徴とする請求項３３に記載の圧力センサー。
【請求項４０】
圧電結晶材料から成る基台と、該基台の面上に順次積層された下部電極膜及び誘電体膜と、該誘電体膜と対向する位置に薄肉部を備えるとともに基台の面上に固定された検出片と、前記下部電極膜と対向する位置関係となる前記薄肉部の少なくとも一部に形成した上部電極膜と、前記検出片の下面と前記誘電体膜との間に微小ギャップの空間と、を備え、前記検出片の薄肉部の厚さは全面に亘って均一でないことを特徴とする圧力センサー。
【請求項４１】
圧電結晶材料から成る基台と、該基台の面上に順次積層された下部電極膜及び誘電体膜と、該誘電体膜と対向する位置に薄肉部を備えるとともに基台の面上に固定された検出片と、前記下部電極膜と対向する位置関係となる前記薄肉部の少なくとも一部に形成した上部電極膜と、前記検出片の下面と前記誘電体膜との間に微小ギャップの空間と、を備え、前記検出片は、その一端から所定幅の範囲が均一な厚さである均一厚領域と、該均一厚領域から前記薄肉部の他端までの範囲が前記均一厚領域よりも厚肉である増厚領域と、を備えた全面に亘って均一でない前記薄肉部を有することを特徴とする圧力センサー。
【請求項４２】
圧電結晶材料から成る基台と、該基台の面上に順次積層された下部電極膜及び誘電体膜と、該誘電体膜と対向する位置に薄肉部を備えるとともに基台の面上に固定された検出片と、前記下部電極膜と対向する位置関係となる前記薄肉部の少なくとも一部に形成した上部電極膜と、前記検出片の下面と前記誘電体膜との間に微小ギャップの空間と、を備え、前記検出片は、その一端から所定幅の範囲が均一な厚さである均一厚領域と、該均一厚領域から前記薄肉部の他端までの範囲が前記均一厚領域よりも厚肉である増厚領域と、を備えた全面に亘って均一でない前記薄肉部を有し、前記増厚領域は、薄肉部の肉厚が前記均一厚領域から前記薄肉部の他端に向かい漸増する構成を有することを特徴とする圧力センサー。
【請求項４３】
圧電結晶材料から成る基台と、該基台の面上に順次積層された下部電極膜及び誘電体膜と、該誘電体膜と対向する位置に薄肉部を備えるとともに基台の面上に固定された検出片と、前記下部電極膜と対向する位置関係となる前記薄肉部の少なくとも一部に形成した上部電極膜と、前記検出片の下面と前記誘電体膜との間に微小ギャップの空間と、を備え、前記検出片は、その一端から所定幅の範囲が均一な厚さである均一厚領域と、該均一厚領域から前記薄肉部の他端までの範囲が前記均一厚領域よりも厚肉である増厚領域と、を備えた全面に亘って均一でない前記薄肉部を有し、前記増厚領域は、薄肉部の肉厚が少なくとも一つの段差部を有した階段状の構成を有することを特徴とする圧力センサー。
【請求項４４】
圧電結晶材料から成る基台と、該基台の面上に順次積層された下部電極膜及び誘電体膜と、該誘電体膜と対向する位置に薄肉部を備えるとともに基台の面上に固定された圧電結晶材料から成る検出片と、前記下部電極膜と対向する位置関係となる前記薄肉部の少なくとも一部に形成した上部電極膜と、前記検出片の下面と前記誘電体膜との間に微小ギャップの空間と、を備え、前記検出片の薄肉部の厚さは全面に亘って均一でないことを特徴とする圧力センサー。
【請求項４５】
圧電結晶材料から成る基台と、該基台の面上に順次積層された下部電極膜及び誘電体膜と、該誘電体膜と対向する位置に薄肉部を備えるとともに基台の面上に固定された圧電結晶材料から成る検出片と、前記下部電極膜と対向する位置関係となる前記薄肉部の少なくとも一部に形成した上部電極膜と、前記検出片の下面と前記誘電体膜との間に微小ギャップの空間と、を備え、前記検出片は、その一端から所定幅の範囲が均一な厚さである均一厚領域と、該均一厚領域から前記薄肉部の他端までの範囲が前記均一厚領域よりも厚肉である増厚領域と、を備えた全面に亘って均一でない前記薄肉部を有することを特徴とする圧力センサー。
【請求項４６】
圧電結晶材料から成る基台と、該基台の面上に順次積層された下部電極膜及び誘電体膜と、該誘電体膜と対向する位置に薄肉部を備えるとともに基台の面上に固定された圧電結晶材料から成る検出片と、前記下部電極膜と対向する位置関係となる前記薄肉部の少なくとも一部に形成した上部電極膜と、前記検出片の下面と前記誘電体膜との間に微小ギャップの空間と、を備え、前記検出片は、その一端から所定幅の範囲が均一な厚さである均一厚領域と、該均一厚領域から前記薄肉部の他端までの範囲が前記均一厚領域よりも厚肉である増厚領域と、を備えた全面に亘って均一でない前記薄肉部を有し、前記増厚領域は、薄肉部の肉厚が前記均一厚領域から前記薄肉部の他端に向かい漸増する構成を有することを特徴とする圧力センサー。
【請求項４７】
圧電結晶材料から成る基台と、該基台の面上に順次積層された下部電極膜及び誘電体膜と、該誘電体膜と対向する位置に薄肉部を備えるとともに基台の面上に固定された圧電結晶材料から成る検出片と、前記下部電極膜と対向する位置関係となる前記薄肉部の少なくとも一部に形成した上部電極膜と、前記検出片の下面と前記誘電体膜との間に微小ギャップの空間と、を備え、前記検出片は、その一端から所定幅の範囲が均一な厚さである均一厚領域と、該均一厚領域から前記薄肉部の他端までの範囲が前記均一厚領域よりも厚肉である増厚領域と、を備えた全面に亘って均一でない前記薄肉部を有し、前記増厚領域は、薄肉部の肉厚が少なくとも一つの段差部を有した階段状の構成を有することを特徴とする圧力センサー。
【請求項４８】
前記検出片は、前記薄肉部の外周縁に厚肉環状部を一体化した構成を有することを特徴とする請求項４０、４１、４２、４３、４４、４５、４６又は４７に記載の圧力センサー。
【請求項４９】
前記検出片は、一方の面が平坦面であり、他方の面が傾斜面、或いは階段状であることを特徴とする請求項４０、４１、４２、４３、４４、４６又は４７に記載の圧力センサー。
【請求項５０】
前記検出片は、前記薄肉部の外周縁に厚肉環状部を一体化した構成を有し、前記検出片の薄肉部は、一方の面が平坦面であり、他方の面が傾斜面、或いは階段状の構成を有することを特徴とする請求項４０、４１、４２、４３、４４、４５、４６又は４７に記載の圧力センサー。
【請求項５１】
前記基台は、凹陥部と、該凹陥部の外周を包囲する外枠と、を有し、前記外枠の上面に前記検出片を支持することにより前記薄肉部と前記凹陥部との間に得られた微小ギャップと、を有することを特徴とする請求項４０、４１、４２、４３、４４、４５、４６又は４７に記載の圧力センサー。
【請求項５２】
前記圧力センサーはタッチモード容量圧力センサーであることを特徴とする請求項４０、４１、４２、４３、４４、４５、４６又は４７に記載の圧力センサー。
【請求項５３】
圧電結晶材料から成る前記基台と、該基台と同一種の圧電結晶材料から成る前記検出片と、を備え、前記検出片の結晶軸の方向と前記基台の結晶軸の方向とを一致させた状態で、前記検出片に対して前記基台を重ね合わせたことを特徴とする請求項４４、４５、４６又は４７に記載の圧力センサー。
【請求項５４】
前記圧電結晶材料が水晶であることを特徴とする請求項４０、４１、４２、４３、４４、４５、４６又は４７に記載の圧力センサー。
【請求項５５】
前記検出片が水晶板から成り、該水晶板の主面に対する法線が水晶結晶軸Ｚに対して０°以外の角度を成しており、前記検出片が前記水晶板をウェットエッチングによって薄く加工した前記薄肉部を有することを特徴とする請求項４０、４１、４２、４３、４４、４５、４６又は４７に記載の圧力センサー。
【請求項５６】
前記検出片を構成する圧電結晶材料は、厚味すべりモードを有することを特徴とする請求項４０、４１、４２、４３、４４、４５、４６又は４７に記載の圧力センサー。
【請求項５７】
前記検出片を構成する圧電結晶材料は、ＡＴカット水晶板であることを特徴とする請求項４０、４１、４２、４３、４４、４５、４６又は４７に記載の圧力センサー。
【請求項５８】
前記圧力センサーは、タッチモード容量圧力センサーであることを特徴とする請求項４０、４１、４２、４３、４４、４５、４６又は４７に記載の圧力センサー。
【請求項５９】
前記段差部は、薄肉部の基材上に金属層を付加することによって形成したものであることを特徴とする請求項４７に記載の圧力センサー。
【発明の詳細な説明】
【技術分野】
【０００１】
本発明は流体の圧力を測定するために使用される圧力センサーの改良に関し、特に、圧力が小さい段階では速やかに撓み変形する一方で、高圧力の状態では徐々に撓むように薄肉部（ダイヤフラム）を構成することによって圧力感度特性の直線性を向上させた圧力センサーに関する。
【背景技術】
【０００２】
自動車等の車両に装備されるタイヤの空気圧を圧力センサーにより検出して異常発生時に警告を発するタイヤ圧モニタリングシステムが従来から知られている。
自動車等のゴムタイヤ内に装備されて空気圧を測定する空気圧センサーとして、特開２００１−１７４３５７公報には、セラミクスから成るダイヤフラムとセラミクスから成るベースとを接合し、両者間に形成される隙間内の静電容量変化を圧力に変換する技術が開示されている。しかし、セラミクスを検出片として使用した空気圧センサーは、検出精度の点で問題があり改善が望まれている。
このような不具合を有さない空気圧センサーとして、最近では図６に示すようにシリコン（Ｓｉ）から成る検出片を用いたタッチモード容量型圧力センサーが注目されている。この圧力センサーは、基台としてのガラス板１０１上に下部電極膜１０２、誘電体薄膜１０３、電極膜１０４を順次積層して成る底板１００上に、シリコン製の検出片１１０を組み付けた構成を備えている。この圧力センサーは、圧力によって検出片１１０の薄肉部（ダイヤフラム）１１０ａが変形して誘電体薄膜１０３に直接接触することによって生じる静電容量変化を圧力検出に利用している。この種の空気圧センサーは、例えば電気学会論文誌  ２００３年  Ｖｏｌ．１２３−Ｅ「タイヤ圧モニタリングシステム用タッチモード容量型圧力センサー」に開示されている。
シリコン製の検出片を用いた空気圧センサーにあっては、シリコンウェハのダイヤフラム１１０ａの肉厚を３μｍ程度までエッチングによって薄く加工する必要があるばかりでなく、ダイヤフラム１１０ａと誘電体薄膜１０３との間のギャップを３μｍ程度の極小寸法に設定する必要がある。しかし、シリコンをエッチングする場合には厚さを正確にコントロールすることが難しく、この程度に微小な寸法レベルで高い精度を確保することが困難である。その結果、製造のばらつきが大きくなる。
また、シリコン材料はその結晶構造の物性から、弾性変形の繰り返し再現性の点で問題がある。
この不具合については、実開昭６３−１７５８３３号に開示されているようにシリコンよりも安定した物性を有する水晶を圧力センサーの検出片として利用することにより、シリコン製の検出片を用いた圧力センサーの欠点であった弾性変形における繰り返し再現性の悪さを解消することができる。
【０００３】
ところが、上記従来の圧力センサーは、敏感なセンサー感度を得るために、いずれもダイヤフラム全体を均一厚な平行板形状に構成していた。特に、タッチモード式圧力センサーにおいては、特定の圧力値にてダイヤフラムが急激に大きく撓み変形して基台上面に接触するため、その後引き続き圧力が上昇する場合にはダイヤフラムに残される可動範囲が小さく制限されることとなり、直線性に優れたセンサー特性を得られる圧力範囲が狭い範囲（圧力が低い範囲）に制限される、という問題があった。
即ち、図７（ａ）（ｂ）はダイヤフラムの肉厚が均一なタイプのタッチモード式圧力センサーの動作を説明する断面図であり、この圧力センサーは、絶縁材料から成る基台１０１上に下部電極膜１０２、誘電体膜１０３を順次積層した底板１００上に、検出片１１０を組み付けた構成を備えている。検出片１１０のダイヤフラム１１０ａの下面には上部電極１１１が形成され、この上部電極１１１は誘電体膜１０３と所定の微小ギャップを隔てて対向配置されている。
図７（ａ）はダイヤフラム１１０ａが下向きに変形してその中央部下面が底板上面に接触した測定開始状態を示しており、これはダイヤフラム１１０ａの腰が折れ始めた状態である。これ以上の撓み量は、ダイヤフラム１１０ａと基台１０１との接合部構造の剛性のみによりほぼ決定されるので、ダイヤフラムは（ａ）の状態を更に越えて底板側へ撓み難い状態にある。従って、（ａ）の状態にあるときに、更に僅かに高い圧力が加わった場合であってもダイヤフラムは大きく変形して（ｂ）の状態に移行する。しかし、（ｂ）の状態は既にダイヤフラムの撓み可能範囲の限界に近い状態であるため、その後は、検出片と底板との接合部の剛性による影響によってダイヤフラム１１０ａの撓み変形量は極めて限られた範囲となる。このため、図示した従来の圧力センサーは測定可能な圧力範囲が極めて狭かった。
従って、このように測定可能な圧力範囲が狭い圧力センサーを自動車のタイヤに適用する場合には、標準の空気圧が異なるタイヤ毎に最適の感度を備えた圧力センサーを用意する必要があり、他種類の圧力センサーを製造する必要が生じるため、コストアップをもたらす原因となっている。
【先行技術文献】
【特許文献】
【０００４】
【特許文献１】特開２００１−１７４３５７公報
【特許文献２】実開昭６３−１７５８３３号公報
【特許文献３】特開平０６−０２１７４０号公報
【非特許文献１】電気学会論文誌  ２００３年  Ｖｏｌ．１２３−Ｅ「タイヤ圧モニタリングシステム用タッチモード容量型圧力センサ」
【発明の概要】
【発明が解決しようとする課題】
【０００５】
本発明は上記に鑑みてなされたものであり、測定する圧力が小さい段階では速やかに撓み変形する一方で、高圧力の状態では徐々に撓むようにダイヤフラムを構成することによって圧力感度特性の直線性を向上させ、一種類の圧力センサーによって低圧から高圧まで高感度にて測定することができる圧力センサーを提供することを目的とする。
【課題を解決するための手段】
【０００６】
上記課題を解決するため、請求項１の発明は、絶縁材料から成る基台と、該基台の面上に順次積層された下部電極膜及び誘電体膜と、該誘電体膜と対向する位置に薄肉部を備えるとともに基台の面上に固定された検出片と、該薄肉部の少なくとも一部に形成され且つ下部電極膜と対向する位置関係にある上部電極膜と、を備え、該検出片の下面と該誘電体膜との間に微小ギャップの気密空間を備えた圧力センサーにおいて、前記検出片の薄肉部の厚さは全面に亘って均一でないことを特徴とする。
請求項２の発明は、請求項１において、前記薄肉部は、その一端から所定幅の範囲は均一厚領域であり、該均一厚領域から薄肉部の他端までの範囲は均一厚領域よりも厚肉の増厚領域となっていることを特徴とする。
請求項３の発明は、請求項２において、前記増厚領域は、薄肉部の肉厚がテーパー状且つ直線的に漸増するか、或いは少なくとも一つの段差部を有した階段状の構成を有することを特徴とする。
請求項４の発明は、請求項１、２、又は３において、前記検出片は、前記薄肉部の外周縁に厚肉環状部を一体化した構成を有することを特徴とする。
請求項５の発明は、請求項１、２、３、又は４において、前記検出片の薄肉部は、一方の面が平坦面であり、他方の面が傾斜面、或いは階段状であることを特徴とする。
請求項６の発明は、請求項５において、前記検出片の薄肉部の平坦面を、前記基台上の下部電極膜と対面するよう対向配置したことを特徴とする。
請求項７の発明は、請求項１乃至６の何れか一項において、前記検出片と前記基台とが同一種の圧電結晶材料から成り、検出片の結晶軸と基台の結晶軸とを一致させた状態で、検出片に対して基台を重ね合わせたことを特徴とする。
【０００７】
請求項８の発明は、請求項１乃至７の何れか一項において、前記基台は、凹陥部と、凹陥部外周を包囲する外枠とを有し、且つ凹陥部の内底面上に前記下部電極膜と誘電体膜を積層した構成を備え、基台の外枠上面により前記検出片の底面を支持することにより薄肉部と誘電体膜との間に前記微小ギャップを形成したことを特徴とする。
請求項９の発明は、請求項１乃至８の何れか一項において、前記検出片が、水晶材料から構成されていることを特徴とする。
請求項１０の発明は、請求項９において、前記検出片は、水晶板から成り、該検出片の主面に対する放線が水晶結晶軸Ｚに対して０°以外の角度をなしており、前記検出片は、水晶板をウェットエッチングによって薄く加工した前記薄肉部を有することを特徴とする。
請求項１１の発明は、請求項９、又は１０において、前記検出片を構成する水晶板は、厚味すべりモードを有することを特徴とする。
請求項１２の発明は、請求項９、１０、又は１１において、前記検出片を構成する水晶板は、ＡＴカット水晶板であることを特徴とする。
請求項１３の発明は、請求項１乃至１２に記載の圧力センサーは、タッチモード容量圧力センサーであることを特徴とする。
請求項１４の発明は、請求項３において、前記段差部は、薄肉部の基材上に金属層を付加することによって形成したものであることを特徴とする。
【発明の効果】
【０００８】
請求項１の発明は、薄肉部の肉厚が全面に亘って均一厚ではなく、傾斜状に漸増したり、階段状に増大するように構成されており、また、請求項２の発明は、検出片の薄肉部の一端から所定幅の範囲を均一厚領域とし、該均一厚領域から薄肉部の他端に向かう範囲を均一厚領域よりも厚肉の増厚領域としているので、ダイヤフラムとしての薄肉部に厚味差部分が形成されることとなり、低圧力測定時には肉厚の薄い均一厚領域が機能し、高圧力測定時には肉厚の厚い増厚領域が機能し、トータルで圧力センサー感度の直線性を向上させることができる。
請求項３の発明では、まず、増厚領域は、薄肉部の肉厚がテーパー状をなし且つ直線的に漸増するため、厚さが連続的な傾斜構造となり、高圧力測定時には薄肉部の腰の強さを維持し、圧力センサー感度の直線性を向上できる。また、増厚領域は少なくとも一つの段差部を有した階段状の構成を有するため、高圧力測定時には薄肉部の腰の強さを維持し、圧力センサー感度の直線性を向上できる。
請求項４の発明では、検出片は、薄肉部の外周縁に厚肉環状部を一体化した構成を有するため、検出片の強度を高め、耐久性を向上することができる。
請求項５、６の発明では、検出片の薄肉部は、一方の面が平坦面であり、他方の面が傾斜面、或いは階段状であるため、平坦面を底板上面と対向配置することによって、均一ギャップの気密空間を形成することが可能となり、圧力センサーの性能を安定させることができる。
請求項７の発明では、前記検出片と前記基台とを同一種の圧電結晶材料から構成し、検出片の結晶軸と基台の結晶軸とを一致させたので、両者の熱膨張特性を厳密に一致させることができ、熱歪みによる影響を回避できる。
【０００９】
請求項８の発明では、基台は、凹陥部と、凹陥部外周を包囲する外枠とを有しており、この場合には外枠をスペーサとして検出片を搭載することができる。
請求項９の発明では、検出片が水晶材料から構成されているので、経年変化が少なく、機械変形による再現性が高い（ヒステリシスが少ない）。また、ダイヤフラムとしての薄肉部の肉厚を厳密に管理することが容易であり、個片毎に薄肉部の肉厚差のない均一板厚のダイヤフラムを得ることができる。
請求項１０の発明では、水晶から成る検出片の主面に対する放線が水晶結晶軸Ｚに対して０°以外の角度をなしており、水晶板をウェットエッチングによって薄く加工した薄肉部を有するので、異方性エッチングを実現するための、検出片の材料を特定することができる。これにより、ウェットエッチングする際に、容易に薄肉部に傾斜面を形成することができる。
請求項１１の発明では、検出片を構成する水晶板は、厚味すべりモードを有するので、厚さ管理が容易となる。
請求項１２の発明では、検出片を構成する水晶板は、ＡＴカット水晶板であるので、請求項９、１０、１１と同等の効果を得ることができる。
請求項１３の発明では、圧力センサーがタッチモード容量圧力センサーであるため、強い圧力が加わる環境での使用が可能となる。
請求項１４の発明では、段差部は、薄肉部の基材上に金属層を付加することによって形成できるので、製造が容易である。
【図面の簡単な説明】
【００１０】
【図１】（ａ）（ｂ）及び（ｃ）は本発明の一実施形態に係るタッチモード容量型圧力センサーの構成を示す縦断面図。
【図２】（ａ）は本発明の圧力センサーの他の実施形態を示す断面図、（ｂ）はその変形実施形態の説明図。
【図３】（ａ）（ｂ）は本発明の他の実施形態に係る圧力センサーの断面図。
【図４】本発明の他の実施形態に係る圧力センサーの断面図。
【図５】（ａ）（ｂ）は従来のタッチモード式圧力センサーと、本発明のタッチモード式圧力センサーの圧力−容量特性を比較する図。
【図６】従来例の説明図。
【図７】（ａ）（ｂ）はダイヤフラムの肉厚が均一なタイプのタッチモード式圧力センサーの動作を説明する断面図。
【発明を実施するための形態】
【００１１】
以下、本発明を図面に示した実施の形態により詳細に説明する。
図１は本発明の一実施形態に係るタッチモード容量型圧力センサーの構成を示す縦断面図であり、（ａ）（ｂ）及び（ｃ）はダイヤフラムの変化状態を示している。
このタッチモード容量型圧力センサー（以下、圧力センサー、という）１は、底板２と、底板２上に組み付けられた検出片１０と、底板２上面と検出片１０の下面との間に微小ギャップの気密空間Ｓを介在させた状態で両者を接合する接合部材２０と、から概略構成されている。
底板２は、水晶、ガラス、セラミック等の絶縁材料から成る基台３と、基台３上に順次形成した下部電極膜４、誘電体膜５と、を備えている。
検出片１０は、例えば水晶板から構成されており、下部電極膜４上の誘電体膜５と対面する薄肉部（ダイヤフラム）１１と、薄肉部１１の外周を一体的に包囲する厚肉環状部１２と、から構成されている。
薄肉部１１の下面には、下部電極膜４と対向するように上部電極膜１３が形成されている。
圧力センサー１は、自動車等の車両のタイヤ内の適所にトランスポンダーに組み付けられた状態で固定配置されて使用される。トランスポンダーは、アンテナコイルを備え、車両側のアンテナから出力された電磁波によってアンテナコイルに誘起される電流によって圧力センサーを作動させ、測定された圧力情報を電磁波として車両側へ出力する。タイヤ内の空気圧は、圧力センサー１の薄肉部１１に加わり、大気圧に設定された気密空間Ｓ内の圧力を越えた圧力が加わった場合に薄肉部１１を撓み変形させる。
即ち、外部気圧が気密空間Ｓ内の気圧を上回った場合に、薄肉部１が下方に撓んで上部電極膜１３の下面が誘電体膜５に接触したときの上部電極膜１３と誘電体膜５との接触面積の変化を容量値として検出して外部圧力をセンシングすることが可能となる。
この圧力センサー１をタイヤ内に組み込んだ場合には、主としてタイヤ内の空気圧の減少状態をモニタするために使用される。空気圧が許容値を下回ったことをリアルタイムに検出し、ドライバー等に対して速やかに警告表示させるためには、圧力感度特性の直線性が重要である。
接合部材２０は、接着手段、及びスペーサを兼ねており、薄肉部１１の下面と底板２の上面との間に基準圧力を得るための気密空間Ｓを形成している。
【００１２】
本発明の圧力センサー１の特徴的な構成は、検出片の薄肉部１１の厚さが全面に亘って均一ではなく、薄肉部１１の一端から所定幅の範囲は均一厚領域１１ａであり、均一厚領域１１ａから他端に向かう範囲は薄肉部の肉厚が均一厚領域よりも大きい増厚領域１１ｂとなっている。この例では、増厚領域１１ｂは、厚さが直線的に漸増するテーパー状の断面形状を有している。
即ち、この実施形態の圧力センサー１における増厚領域１１ｂは、気密空間Ｓ側の主面が平坦（底板上面と平行）であり、気密空間と反対側の主面がテーパー状、且つ直線的な傾斜面となっている。即ち、均一厚領域１１ａの終端部Ａから薄肉部の他端部Ｂに至る範囲では、板厚が傾斜状に漸増するように構成されている。つまり、均一厚領域１１ａでは、上下の主面が平行であるが、増厚領域１１ｂでは下側の主面に対して上側の主面が非平行であり、テーパー状に拡開するように延びている。
このように構成することにより、高圧測定においても圧力感度特性の直線性を、測定可能な圧力の限界値まで、十分に維持することが可能となる。また、測定が不能となる飽和圧力値まで、直線性を有した圧力検出が可能となるため、空気圧が異なる種類のタイヤ、例えば乗用車のタイヤ（空気圧は２ｋｇ／ｃｍ２）と、トラックのタイヤ（空気圧は８ｋｇ／ｃｍ２）に対して同一構造の圧力センサーを使用することが可能となる。
なお、図２（ｂ）に示すように、均一厚領域１１ａを設けず、増厚領域１１ｂのみを備えた薄肉部１１の構成としてもよい。即ち、薄肉部の一端縁から他端縁に向けて肉厚が傾斜状に漸増したり、階段状に増大するようにした構成であってもよい。
【００１３】
次に、図１（ａ）（ｂ）（ｃ）に基づいて本発明の圧力センサの動作を説明する。まず、外部（タイヤ内）の圧力が気密空間Ｓ内の圧力と同等の場合には（ａ）に示すように薄肉部１１は変形していないが、測定圧力が低い状態では（ｂ）に示すように薄肉部１１の均一厚領域１１ａの腰（保形力）がいち早くなくなって折れ曲がり、底板上面（誘電体膜５）と接触する。
一方、薄肉部の増厚領域１１ｂは、十分な腰を有しているため、測定圧力が高くなるに連れて、徐々に底板側に押し付けられる。
本実施形態では、増厚領域１１ｂの断面形状が、傾斜（テーパー）形状となるように厚み差が設けられているため、図１（ｂ）の状態以降において、測定圧力が一定の変化を示す場合に、薄肉部の動作をよりスムーズ且つ定量的に制御することが可能となる。
また、この実施形態では、基台３の上面に設けた下部電極膜４から図示しない下部引き出し電極を基台の外縁部へ向けて延長形成する一方で、薄肉部１１の下面に形成した上部電極１３からも図示しない上部引き出し電極を検出片の外縁部へ延長形成する。両引き出し電極から通電し、気密空間及び誘電体膜５を介して対向配置された各電極膜４、１３間の容量値Ｃの変化にもとづいて外部の圧力を算出することが可能となる。
即ち、各電極膜４、１３間に形成されるコンデンサの容量値Ｃは、
Ｃ＝ε・（Ｓ／ｄ）（ε：誘電体の誘電率、Ｓ：電極の面積、ｄ：電極の間隔）
で表される。
つまり、電極膜４、１３間の間隔ｄを狭く（広く）設定すると、容量値Ｃが大きく（小さく）なる。一方、対向する２つの電極膜の対向面積を大きくすると、容量値Ｃが大きく（小さく）なるという性質を有する。
【００１４】
上記のごとき構成を備えた圧力センサ１を大気中に配置すると、気密空間Ｓ内は大気圧と同様の気圧に設定されている。外部の気圧が気密空間Ｓ内の気圧と同じ場合には、図１（ａ）に示すように、気密空間内の気圧は外気と釣合っているため薄肉部１１は変形しない。一方、外部の気圧が気密空間内気圧よりも高くなった場合には、図１（ｂ）（ｃ）に示すように薄肉部１１は変形して誘電体膜５に近接（接触）する。図２（ｂ）（ｃ）は、外部圧力の多寡に応じて、薄肉部１１と誘電体膜５との接触面積Ｓが変化する状態を示しており、（ｂ）に示した接触面積Ｓ１の時と、（ｃ）に示した接触面積Ｓ２の時（Ｓ１＜Ｓ２）の容量値Ｃ１、Ｃ２とを比較すると、
接触面積がＳ１の場合には、Ｃ１＝ε・（Ｓ１／ｄ）となり、
接触面積がＳ２の場合には、Ｃ２＝ε・（Ｓ２／ｄ）となる。
このように外部圧力が、気密空間Ｓの圧力（大気圧）よりも大きくなると、薄肉部が変形し、上部電極膜１３が誘電体膜５と接触するので、このときの上部電極膜１３と誘電体膜５との接触面積の変化を容量値として検出して圧力をセンシングすることが可能となる。
次に、図２（ａ）は本発明の圧力センサの他の実施形態を示す断面図であり、この圧力センサ１は、検出片１０が厚肉環状部１２を有していない点において、図１の実施形態と異なっている。この実施形態は、検出片１０の最大厚さを小さくできるので、圧力センサを薄型化する上で有効である。
図２（ｂ）は図２（ａ）の変形例であり、基台３が、凹陥部３ａと、凹陥部外周を包囲する外枠３ｂとを有し、且つ凹陥部３ａの内底面上に下部電極膜４と誘電体膜５を積層した構成を備えている。そして、基台の外枠３ｂの上面により検出片１０の底面を支持することにより薄肉部１１と誘電体膜５との間に微小ギャップを形成している。この検出片１０は、（ａ）の検出片と異なり、均一厚領域を有しておらず、薄肉部全体が増厚領域１１ｂとなっている。
【００１５】
次に、図３（ａ）（ｂ）は本発明の他の実施形態に係る圧力センサーの断面図であり、この圧力センサー１は、薄肉部１１の増厚領域１１ｂが、少なくとも一つの段差部１５を有して、階段状に肉厚が漸増する構成を有している。
以上の構成において、外部（タイヤ内）の圧力が気密空間Ｓ内の圧力と同等の場合には図３（ａ）に示すように薄肉部１１は変形していないが、測定圧力が低い状態では図３（ｂ）に示すように薄肉部１１の均一厚領域１１ａの腰（保形力）がいち早くなくなって折れ曲がり、底板上面（誘電体膜５）と接触する。
一方、薄肉部の増厚領域１１ｂは、均一厚領域１１ａよりも厚肉であり、十分な腰を有しているため、測定圧力が高くなるに連れて、徐々に底板側に押し付けられる。
本実施形態では、増厚領域１１ｂの断面形状が、均一厚領域１１ａよりも厚く、且つ均一厚となるように設定されているため、（ｂ）の状態以降において測定圧力が一定の変化を示す場合に、薄肉部の動作をよりスムーズ且つ定量的に制御することが可能となる。従って、誤差の少ない高精度の圧力測定が可能となる。
更に、図４の圧力センサーは、増厚領域１１ｂが複数の段差部１５ａ、１５ｂを有した階段状であり、段差部１５ａよりも、段差部１５ｂの厚さが厚くなるように設定されているため、均一厚領域１１ａが底板上面に接した段階以降に測定圧力が高くなるに連れて、薄肉部の動作をよりスムーズ且つ定量的に制御することが可能となる。
図３、図４に示した如き段差部１５、１５ａ、１５ｂを有した薄肉部１１を製造する際には、均一厚の薄肉部の主面上に、金属膜を成膜することによって増厚領域１１ｂを形成するようにしてもよい。
【００１６】
次に、検出片１０と基台３を構成する材料として、同一種の圧電結晶材料を選定した場合には、検出片の結晶軸と基台の結晶軸とを一致させた状態で、検出片に対して基台を重ね合わせることが好ましい。このように構成することにより、検出片と基台の熱膨張特性が一致し、熱歪みによる悪影響を無くする利点があるので、耐久性を高め、性能を安定させることができる。
次に、検出片１０を構成する材料としては、水晶材料を使用することが好ましい。即ち、検出片１０の材料として、従来使用されていたシリコンに代えて水晶を使用することにより、次のような優位性を得ることができる。即ち、水晶はシリコンに比べて物性的に安定した素材であり、経年変化が少なく、機械変形による再現性が高い（ヒステリシスが少ない）。また、水晶によれば、ダイヤフラムとしての薄肉部の肉厚を厳密に管理することが容易であり、個片毎に薄肉部の肉厚差のない均一板厚のダイヤフラムを得ることができる。即ち、薄肉部１１を目標肉厚に加工するためには、まず水晶板に対するエッチングによって薄肉部１１を形成した後で、薄肉部１１に電極を付着させて通電して薄肉部の固有周波数を測定することにより目標周波数（目標肉厚）と比較する。目標周波数と一致しない場合には、目標周波数に達するまで微調エッチングを行う。その結果、個片毎に薄肉部の肉厚差のない均一板厚の薄肉部を得ることができる。
なお、水晶等の圧電材料の薄肉部１０ａの肉厚を微調整するためにその固有周波数を測定する技術は、例えば特開平０６−０２１７４０号公報に開示されているように、本出願人による超薄板圧電振動子の加工技術として周知であり、この技術をそのまま応用することができる。
使用する水晶材料としては、厚味すべりモードを有する材料、例えばＡＴカット水晶板が好ましい。
【００１７】
次に、上記各実施形態に示した如き薄肉部を備えた検出片を製造する場合には、ウェットエッチングによる方法が好ましい。ガスエッチング等のドライエッチング法によっても製造は可能であるが、生産性を考慮した場合にはウェットエッチングが有効である。この場合、ウェットエッチングによるエッチング速度に対して異方性を有する材料を使用することが好ましい。このような異方性を有する材料としては、水晶材料、特にＡＴカット水晶板を使用することが好ましい。即ち、水晶は、温度変化に対して安定した物質である一方で、ウェットエッチングによるエッチング速度に対して異方性を有しているため、図１、図２に示した如き均一厚領域１１ａと増厚領域１１ｂを備えた薄肉部１１を容易に製造することができる。
特に、水晶板面の法線と、水晶結晶のＺ軸とのなす角度θがθ≠０°である場合には、異方性に起因してエッチング面に傾斜面を形成し易いという利点があり、所望の傾斜面を得ることができる。
即ち、検出片１０を水晶板から構成する場合には、検出片の主面に対する放線が水晶結晶軸Ｚに対して０°以外の角度をなすように構成するのが好ましい。
更に、検出片を、ＡＴカット水晶板等の厚味すべりモードを有する材料にて構成する場合には、異方性による利点に加えて、厚味を周波数換算してモニタリングすることが可能であるため、薄肉部を精度良く加工することができる。
また、エッチングにより肉厚が漸増する増厚領域１１ｂを形成する場合には、図１に示すように検出片の上面中央部のみをエッチングして凹陥部を形成し、下面をフラット形状に保つ。そして、フラットな下面を底板２の上面に対向させるように組み付けることが好ましい。このようにすることにより、気密空間Ｓのギャップが均一化するため、測定精度を高めることが可能となる。
なお、ガスエッチングによって、図１、図２、図３に示した如き構造の検出片を加工する場合には、エッチング面を覆うマスクの位置をずらすことにより、各部のエッチング時間を異ならせる作業を行う必要がある。
【００１８】
次に、図５（ａ）（ｂ）は均一厚の薄肉部を有したシリコンから成る検出片を使用した従来のタッチモード式圧力センサーと、ＡＴカット水晶から成る検出片を使用した図１に示す本発明のタッチモード式圧力センサーの圧力−容量特性を比較する図である。何れの圧力センサーも、容量が８０ｐＦとなった時点で飽和する点では同じであるが、本発明の圧力センサーは、飽和状態に達するまでの過程における圧力感度の直線性に優れると共に、より高圧側まで圧力を計測できるポテンシャルを備えている。従来例の圧力センサーは測定圧力が５ｋｇ／ｃｍ２になった段階で飽和に近い状態に達しているのに対して、本発明の圧力センサーは１０ｋｇ／ｃｍ２に達するまで直線性を維持している。
従って、本発明では、同一の圧力センサーを空気圧力の異なるタイヤに共用することができる。つまり、空気圧力の異なるタイヤごとに異なった圧力センサーを製造し、適用する必要が無くなる。
本発明の圧力センサーは、タイヤ等の閉空間内の気体の圧力変化を測定する以外にも、流体一般の圧力測定に適用することができる。
【符号の説明】
【００１９】
１  圧力センサー、２  底板、３  基台、４  下部電極膜、５  誘電体膜、１０検出片、１１  薄肉部（ダイヤフラム）、１１ａ  均一厚領域、１１ｂ  増厚領域、１２  厚肉環状部、１３  上部電極膜、１５、１５ａ、１５ｂ  段差部、Ｓ  気密空間、２０  接合部材
【図１】
2012063363.tif 000003
【図２】
2012063363.tif 000004
【図３】
2012063363.tif 000005
【図４】
2012063363.tif 000006
【図５】
2012063363.tif 000007
【図６】
2012063363.tif 000008
【図７】
2012063363.tif 000009